(57)【要約】      （修正有）【課題】Ｘ線装置の位置合わせが容易な歯科用口腔内Ｘ線撮影システム。【解決手段】Ｘ線装置と、Ｘ線撮像素子を有する受光部と、保定部を介して、受光部の撮像面と対向する位置にＸ線源が配置されるように、Ｘ線装置を位置決めするために使用される案内部を有する歯科用口腔内Ｘ線撮影装置を備える。受光部は、回転軸を中心に回転可能で、保定部とのなす角度が変更可能な状態で回転軸に取り付けられ、案内部は、角度に関する情報に対応したＸ線照射口の位置決め用目印を二以上含む位置決め部を有し、二以上の位置決め用目印として、案内部には、一次コイルを含む発信装置が二以上設けられ、角度に関する情報に対応した発信装置には、他の発信装置とは異なる電力供給制御が行われ、二次コイルを含む受信部が、Ｘ線装置のＸ線照射口に取り付けられ、二次コイルを介して供給された電力に基づいて、発光と音声出力を行う出力部が、Ｘ線装置に取り付けられる。【選択図】図２
2015123282.tif 000002
【特許請求の範囲】
【請求項１】
Ｘ線装置と、
Ｘ線撮像素子、イメージングプレート、Ｘ線フィルムのいずれか一つを有する受光部と、保定部を介して、前記受光部の撮像面と対向する位置にＸ線源が配置されるように、前記Ｘ線装置を位置決めするために使用される案内部を有する撮影補助具とを有する歯科用口腔内Ｘ線撮影装置とを備え、
前記撮影補助具は、回転軸を有し、
前記受光部は、前記回転軸を中心に回転可能で、前記保定部とのなす角度が変更可能な状態で前記回転軸に取り付けられ、
前記案内部は、前記角度に関する情報に対応した前記Ｘ線装置のＸ線照射口の位置決め用目印を二以上含む位置決め部を有し、
前記二以上の位置決め用目印として、前記案内部には、一次コイルを含む発信装置が前記二以上設けられ、
前記二以上の発信装置のうち、前記角度に関する情報に対応した発信装置には、他の発信装置とは異なる電力供給制御が行われ、
二次コイルを含む受信部が、前記Ｘ線装置のＸ線照射口に取り付けられ、
前記二次コイルを介して供給された電力に基づいて、発光と音声出力の少なくとも一方を行う出力部が、前記Ｘ線装置に取り付けられることを特徴とする歯科用口腔内Ｘ線撮影システム。
【請求項２】
前記二以上の発信装置が設けられた前記位置決め部は、前記案内部の左右二カ所に設けられ、
前記受信部は、前記Ｘ線装置の左右二カ所に設けられ、
前記出力部は、前記左右の受信部に誘導電流が流れた場合に、発光と音声出力の少なくとも一方を行うことを特徴とする請求項１に記載の歯科用口腔内Ｘ線撮影システム。
【請求項３】
前記発信装置の一次コイルと、隣接する他の発信装置の一次コイルの間には、防磁部材が設けられることを特徴とする請求項１に記載の歯科用口腔内Ｘ線撮影システム。
【請求項４】
前記二以上の発信装置は、発光装置を有し、
前記二以上の発信装置のうち、前記角度に関する情報に対応した発信装置の発光装置には、他の発信装置の発光装置とは異なる点灯制御が行われることを特徴とする請求項１に記載の歯科用口腔内Ｘ線撮影システム。
【請求項５】
前記電力供給制御として、前記二以上の発信装置のうち、前記角度に関する情報に対応した発信装置には、電力が供給され、他の発信装置への電力供給は停止され、
前記点灯制御として、前記二以上の発信装置のうち、前記角度に関する情報に対応した発信装置の発光装置は点灯され、他の発信装置の発光装置は消灯することを特徴とする請求項４に記載の歯科用口腔内Ｘ線撮影システム。
【請求項６】
前記歯科用口腔内Ｘ線撮影装置は、グリップを有し、
前記受光部は、前記保定部における、Ｘ線源を含むＸ線装置を使った撮影時に口腔内に挿入される部分に設けられ、
前記グリップは、前記受光部若しくは前記保定部に取り付けられ、前記グリップを把持することにより前記歯科用口腔内Ｘ線撮影装置が保持され、
前記受光部の背面、若しくは前記保定部における下面であって前記撮影時に口腔内に挿入される部分に、光を発する発光部が設けられることを特徴とする請求項１に記載の歯科用口腔内Ｘ線撮影システム。
【請求項７】
前記回転軸における前記受光部が取り付けられる接続部は、前記撮影時に前記保定部の口腔内に挿入される部分に設けられ、
前記歯科用口腔内Ｘ線撮影装置には、前記接続部に取り付けられた受光部のＸ線撮像素子の受光面が、前記保定部に近づくような付勢力が与えられるように、付勢部材が設けられることを特徴とする請求項１に記載の歯科用口腔内Ｘ線撮影システム。
【請求項８】
Ｘ線撮像素子、イメージングプレート、Ｘ線フィルムのいずれか一つを有する受光部と、
保定部と、前記保定部を介して、前記受光部の撮像面と対向する位置にＸ線源が配置されるように、Ｘ線装置を位置決めするために使用される案内部を有する撮影補助具とを備えた歯科用口腔内Ｘ線撮影装置であって、
前記撮影補助具は、回転軸を有し、
前記受光部は、前記回転軸を中心に回転可能で、前記保定部とのなす角度が変更可能な状態で前記回転軸に取り付けられ、
前記案内部は、前記角度に関する情報に対応した前記Ｘ線装置のＸ線照射口の位置決め用目印を二以上含む位置決め部を有し、
前記二以上の位置決め用目印として、前記案内部には、一次コイルを含む発信装置が前記二以上設けられ、
前記二以上の発信装置のうち、前記角度に関する情報に対応した発信装置には、他の発信装置とは異なる電力供給制御が行われることを特徴とする歯科用口腔内Ｘ線撮影装置。
【請求項９】
前記二以上の発信装置が設けられた前記位置決め部は、前記案内部の左右二カ所に設けられることを特徴とする請求項８に記載の歯科用口腔内Ｘ線撮影システム。
【請求項１０】
二次コイルを含む受信部と、前記二以上の一次コイルのうち、電力が供給された一次コイルと対向する位置に配置された場合に、前記電力が供給された一次コイルと前記二次コイルを介して供給された電力に基づいて、発光と音声出力の少なくとも一方を行う出力部とを更に備え、
前記受信部は、前記Ｘ線装置のＸ線照射口に取り付けられ、
前記出力部は、前記Ｘ線装置に取り付けられることを特徴とする請求項７に記載の歯科用口腔内Ｘ線撮影装置。
【発明の詳細な説明】
【技術分野】
【０００１】
本発明は、歯科用口腔内Ｘ線撮影装置に関する。
【背景技術】
【０００２】
特許文献１のように、案内リングに設けた位置決め用目印のいずれかにＸ線装置の照射口を合わせて位置合わせを行う歯科用口腔内Ｘ線撮影装置が提案されている。
【先行技術文献】
【特許文献】
【０００３】
【特許文献１】特許第５１２４６８３号公報
【発明の概要】
【発明が解決しようとする課題】
【０００４】
しかし、目視による位置合わせでは、実際に位置決め用目印にＸ線装置の照射口を合わせることが出来たかどうかが分かりにくい。
【０００５】
したがって本発明の目的は、Ｘ線装置との位置合わせが容易に行える歯科用口腔内Ｘ線撮影システム若しくは、歯科用口腔内Ｘ線撮影装置を提供することである。
【課題を解決するための手段】
【０００６】
本発明に係る歯科用口腔内Ｘ線撮影システムは、Ｘ線装置と、Ｘ線撮像素子、イメージングプレート、Ｘ線フィルムのいずれか一つを有する受光部と、保定部を介して、受光部の撮像面と対向する位置にＸ線源が配置されるように、Ｘ線装置を位置決めするために使用される案内部を有する撮影補助具とを有する歯科用口腔内Ｘ線撮影装置とを備え、撮影補助具は、回転軸を有し、受光部は、回転軸を中心に回転可能で、保定部とのなす角度が変更可能な状態で回転軸に取り付けられ、案内部は、角度に関する情報に対応したＸ線装置のＸ線照射口の位置決め用目印を二以上含む位置決め部を有し、二以上の位置決め用目印として、案内部には、一次コイルを含む発信装置が前記二以上設けられ、二以上の発信装置のうち、角度に関する情報に対応した発信装置には、他の発信装置とは異なる電力供給制御が行われ、二次コイルを含む受信部が、Ｘ線装置のＸ線照射口に取り付けられ、二次コイルを介して供給された電力に基づいて、発光と音声出力の少なくとも一方を行う出力部が、Ｘ線装置に取り付けられる。
【０００７】
二次コイルを含む受信部が、発信装置と対向した場合には、当該発信装置の一次コイルにおける磁束の変化に基づく電磁誘導で、受信部の二次コイルに誘導電流が流れ、二次コイルから出力部に電力が供給され、出力部は、発光と音声出力の少なくとも一方を行われる。使用者などは、かかる発光を視認する若しくは、かかる音声を聞くことで、歯科用口腔内Ｘ線撮影装置とＸ線装置との位置合わせ（第２位置合わせ）の状況を知ることが出来、当該位置合わせを容易に行える。
【０００８】
好ましくは、二以上の発信装置が設けられた位置決め部は、案内部の左右二カ所に設けられ、受信部は、Ｘ線装置の左右二カ所に設けられ、出力部は、左右の受信部に誘導電流が流れた場合に、発光と音声出力の少なくとも一方を行う。
【０００９】
左右の一方だけが位置合わせが出来て、他方の位置合わせが出来ていない時に、歯科用口腔内Ｘ線撮影装置とＸ線装置との位置合わせが完了したと誤認するのを防ぐことが出来る。
【００１０】
また、好ましくは、発信装置の一次コイルと、隣接する他の発信装置の一次コイルの間には、防磁部材が設けられる。
【００１１】
防磁部材により、一次コイルに対向する位置に二次コイルが配置した時だけ、電磁誘導が起き、一次コイルと二次コイルがずれた位置にある時に、電磁誘導で二次コイルに誘導電流が流れないように出来る。
【００１２】
また、好ましくは、二以上の発信装置は、発光装置を有し、二以上の発信装置のうち、角度に関する情報に対応した発信装置の発光装置には、他の発信装置の発光装置とは異なる点灯制御が行われる。
【００１３】
さらに好ましくは、電力供給制御として、二以上の発信装置のうち、角度に関する情報に対応した発信装置には、電力が供給され、他の発信装置への電力供給は停止され、点灯制御として、二以上の発信装置のうち、角度に関する情報に対応した発信装置の発光装置は点灯され、他の発信装置の発光装置は消灯する。
【００１４】
二次コイルを含む受信部が、点灯している発光装置を含む発信装置と対向した場合には、当該発信装置の一次コイルにおける磁束の変化に基づく電磁誘導で、受信部の二次コイルに誘導電流が流れ、二次コイルから出力部に電力が供給され、出力部は、発光と音声出力の少なくとも一方を行われる。使用者などは、かかる発光を視認する若しくは、かかる音声を聞くことで、歯科用口腔内Ｘ線撮影装置とＸ線装置との位置合わせが完了したことを知ることが出来、当該位置合わせを容易に行える。
【００１５】
また、好ましくは、歯科用口腔内Ｘ線撮影装置は、グリップを有し、受光部は、保定部における、Ｘ線源を含むＸ線装置を使った撮影時に口腔内に挿入される部分に設けられ、グリップは、受光部若しくは保定部に取り付けられ、グリップを把持することにより歯科用口腔内Ｘ線撮影装置が保持され、受光部の背面、若しくは保定部における下面であって撮影時に口腔内に挿入される部分に、光を発する発光部が設けられる。
【００１６】
また、好ましくは、回転軸における受光部が取り付けられる接続部は、撮影時に保定部の口腔内に挿入される部分に設けられ、歯科用口腔内Ｘ線撮影装置には、接続部に取り付けられた受光部のＸ線撮像素子の受光面が、保定部に近づくような付勢力が与えられるように、付勢部材が設けられる。
【００１７】
本発明に係る歯科用口腔内Ｘ線撮影装置は、Ｘ線撮像素子、イメージングプレート、Ｘ線フィルムのいずれか一つを有する受光部と、保定部と、保定部を介して、受光部の撮像面と対向する位置にＸ線源が配置されるように、Ｘ線装置を位置決めするために使用される案内部を有する撮影補助具とを備えた歯科用口腔内Ｘ線撮影装置であって、撮影補助具は、回転軸を有し、受光部は、回転軸を中心に回転可能で、保定部とのなす角度が変更可能な状態で回転軸に取り付けられ、案内部は、角度に関する情報に対応したＸ線装置のＸ線照射口の位置決め用目印を二以上含む位置決め部を有し、二以上の位置決め用目印として、案内部には、一次コイルを含む発信装置が二以上設けられ、二以上の発信装置のうち、角度に関する情報に対応した発信装置には、他の発信装置とは異なる電力供給制御が行われる。
【００１８】
好ましくは、二以上の発信装置が設けられた位置決め部は、案内部の左右二カ所に設けられる。
【００１９】
側部の両方から、歯科用口腔内Ｘ線撮影装置とＸ線装置との位置合わせが出来ているかどうかを確認することが可能になる。
【００２０】
また、好ましくは、二次コイルを含む受信部と、二以上の一次コイルのうち、電力が供給された一次コイルと対向する位置に配置された場合に、電力が供給された一次コイルと二次コイルを介して供給された電力に基づいて、発光と音声出力の少なくとも一方を行う出力部とを更に備え、受信部は、Ｘ線装置のＸ線照射口に取り付けられ、出力部は、Ｘ線装置に取り付けられる。
【発明の効果】
【００２１】
以上のように本発明によれば、Ｘ線装置との位置合わせが容易に行える歯科用口腔内Ｘ線撮影システム若しくは、歯科用口腔内Ｘ線撮影装置を提供することができる。
【図面の簡単な説明】
【００２２】
【図１】本実施形態における歯科用口腔内Ｘ線撮影装置とＸ線装置の構成図である。
【図２】歯科用口腔内Ｘ線撮影装置とＸ線装置の斜視図である。
【図３】歯科用口腔内Ｘ線撮影装置の斜視図である。
【図４】グリップが保定部よりも下に、受光部が保定部よりも上に位置した状態で、使用者に把持された歯科用口腔内Ｘ線撮影装置の斜視図である。
【図５】グリップと受光部が保定部よりも下に位置した状態で、使用者に把持された歯科用口腔内Ｘ線撮影装置の斜視図である。
【図６】撮影部、撮影補助具、及びＸ線装置の構成を示す側面図である。
【図７】案内リングが略Ｕ字形状を有する場合の歯科用口腔内Ｘ線撮影装置の斜視図である。
【図８】受光部の回転動作のロック状態を解除する第２ロック機構（のロック状態操作ボタン）や点灯操作ボタンをグリップに設けた場合の歯科用口腔内Ｘ線撮影装置の斜視図である。
【図９】撮影部、撮影補助具、及びＸ線装置の構成を示す上面図である。
【図１０】防水カバーで一部を覆った状態の歯科用口腔内Ｘ線撮影装置の斜視図である。
【図１１】２つのグリップを設け、Ｘ線撮像素子を内蔵させた歯科用口腔内Ｘ線撮影装置の斜視図である。
【図１２】２つのグリップを設け、Ｘ線フィルムを保持させた歯科用口腔内Ｘ線撮影装置の斜視図である。
【図１３】左右の二カ所に設けられた受信部が接続部を介して接続されたＸ線装置を含む歯科用口腔内Ｘ線撮影システムの斜視図である。
【発明を実施するための形態】
【００２３】
以下、本実施形態における歯科用口腔内Ｘ線撮影システムの構成について、図を用いて説明する。本実施形態に係る歯科用口腔内Ｘ線撮影システム１は、Ｘ線装置７０と歯科用口腔内Ｘ線撮影装置１００を備える（図１、図２参照）。
【００２４】
歯科用口腔内Ｘ線撮影装置１００は、撮影部１０、グリップ３０、撮影補助具（インジケータ）５０を備える（図３〜図５参照）。
【００２５】
撮影部１０の詳細について説明する。撮影部１０は、受光部１１、ケーブル１７を有する。
【００２６】
受光部１１は、Ｘ線受光部を内蔵する。受光部１１のＸ線受光部は、Ｘ線を可視光に変換するシンチレータ、該可視光を電荷に変換するＣＣＤなどのＸ線撮像素子を有する。Ｘ線撮像素子と直接接続される電気線がフレキシブル基板上に設けられている場合には、受光部１１の内部に、フレキシブル基板とケーブル１７とを接続するための基板を設けても良い。
【００２７】
また、受光部１１のＸ線撮像素子を駆動するための電気回路を、受光部１１の内部に設ける形態であってもよい。但し、Ｘ線撮像素子を駆動するための電気回路を構成する部材は、後述するグリップ３０などに配置される形態であってもよい。
【００２８】
ケーブル１７は、Ｘ線受光部への電力供給や信号送受信するための電気線であり、後述するグリップ３０と接続される。ケーブル１７は、受光部１１の背面や側面からグリップ３０に延びる形態でも良いし、回転軸５３若しくは保定部５５の内側を通り、外からは見えない形で、グリップ３０に延びる形態であってもよい。
【００２９】
Ｘ線受光部からの信号送受信を、ケーブル１７を介して行う形態に代えて、無線で行う形態であってもよい。この場合には、受光部１１の内部に、無線通信を行う装置や、かかる装置やＸ線撮像素子を駆動するバッテリーを内蔵する。
【００３０】
グリップ３０は、回転軸５３の軸受けとなる軸受け部３１を介して、回転軸５３を中心に回転可能な状態で、撮影補助具５０に取り付けられる。グリップ３０は、受光部１１や発光部５６や発信部６３に電力を供給するバッテリー３９、受光部１１や角度センサー５４や発光部５６や発信部切替スイッチ６１を制御する制御部５１、受光部１１のＸ線撮像素子で得られた画像信号に画像処理を施す画像処理装置（不図示）を内蔵する。ただし、当該画像処理装置を内蔵せず、グリップ３０から、外部の画像処理装置（例えばパソコン）に、有線か無線で画像信号を伝達する形態であってもよい。
【００３１】
回転軸５３を中心としたグリップ３０の回転可能な状態を制御する第１ロック機構３３がグリップ３０（若しくは保定部５５）に設けられる。第１ロック機構３３によるロック状態が解除されると、グリップ３０は、回転軸５３を中心とした回転可能な状態にされる。第１ロック機構３３によりロック状態にされると、グリップ３０は、回転軸５３を中心とした回転不能な状態で保定部５５に固定される。第１ロック機構３３によるロック状態にされ、グリップ３０が保定部５５に固定されても、受光部１１の回転軸５３を中心とした回転動作は制限されない。
【００３２】
例えば、図４のように、側面から見て、受光部１１が保定部５５よりも上側に、グリップ３０が保定部５５よりも下側になるような位置関係で、グリップ３０が固定されると、上歯の近くに受光部１１を位置させやすいし、図５のように、受光部１１とグリップ３０が保定部５５よりも上側になるような位置関係でグリップ３０を固定させ、歯科用口腔内Ｘ線撮影装置１００を上下逆にすると、下歯の近くに受光部１１を位置させやすい。
【００３３】
グリップ３０は、被験者が保持する形態であってもよいし、歯科医などの術者が把持する形態であってもよい。受光部１１などの保持は、グリップ３０を把持することにより行われるため、受光部１１などの保持のために、保定部５５を咬合する必要がなく、口を開けた状態を維持したまま、撮影が可能である。このため、被験者が咬合をうまく行えない場合でも、Ｘ線撮像素子等を口腔内に維持することが可能になる。また、グリップ３０の把持により、歯科用口腔内Ｘ線撮影装置１００のグリップ３０以外の部材（受光部１１や受光部１１を保持する撮影補助具５０）が保持されるため、咬合により保持される形態に比べて、保定部５５等の重量が大きくなっても保持が容易に行えるメリットを有する。また、グリップ３０は受光部１１から離れているので、グリップ３０を把持する手にはＸ線装置７０からの放射線の影響を受けにくいメリットもある。
【００３４】
グリップ３０を把持することで、歯科用口腔内Ｘ線撮影装置１００が保持されるので、被験者は、咬合せずに、口を開けた状態で撮影をすることが出来る。口を開けた状態なので、後述する発光部５６の光が口の中から見え、発光部５６の近傍にある受光部１１と撮影対象歯牙との位置合わせ（第１位置合わせ）を容易に行える。
【００３５】
グリップ３０と保定部５５とのなす角（第２角度θ２）を変化させることにより、グリップ３０を保持する者（被験者や術者）にとって都合が良い位置関係（グリップ３０の保持位置）で、受光部１１を口腔内の適当な位置に挿入しやすくできる。
【００３６】
また、グリップ３０を移動させることにより、口腔内における回転軸５３の位置が変化し、これに伴って、受光部１１や保定部５５が口蓋など口腔内の部位と接触する位置が変化し、受光部１１のＸ線撮像素子の撮像面と保定部５５とのなす角（第１角度θ１）も変化する。第１角度θ１に関する情報は、後述するように口腔外に設けられた角度表示部５７に示される。
【００３７】
また、第１角度θ１に関する情報は、後述するように受光部１１の近傍（若しくは、保定部５５内部や受光部１１内部や軸受け部３１の内部）に設けられた角度センサー５４で取得され、制御部５１は、角度センサー５４からの第１角度θ１に関する情報に基づいて、発信部切替スイッチ６１を制御し、発信部６３における第１発信装置６３ａ〜第４発信装置６３ｄのいずれかに電力を供給する。
【００３８】
従って、グリップ３０を持った状態で、受光部１１のＸ線撮像素子の撮像面の法線の方向を自在に変化させることが可能になる。すなわち、使用者（術者若しくは被験者）がグリップ３０を把持することにより、第１角度θ１が調整可能な状態で、受光部１１が保持される。
【００３９】
保定部５５に対して、受光部１１やグリップ３０が回転可能な状態にされるが、その回転軸５３を共用することにより、回転運動に関する機構を簡素化することが可能になる。簡素化することにより、使い慣れていない被験者でも、壊さずに、簡単にグリップ３０を正しく保持することが可能になる。
【００４０】
また、グリップ３０は、保定部５５や受光部１１に比べて大きさの制限が緩く、内部にバッテリー３９などの電気部品を内蔵させるスペースを確保しやすい。また、グリップ３０の内部に電気部品を出来るだけ集めることで、歯科用口腔内Ｘ線撮影装置１００のグリップ３０以外の部材（受光部１１や撮影補助具５０）を軽くすることが可能になり、グリップ３０を把持した時に、安定した状態で、歯科用口腔内Ｘ線撮影装置１００のグリップ３０以外の部材（受光部１１や撮影補助具５０）を保持することが可能になる。
【００４１】
本実施形態では、グリップ３０が多角柱形状を有する１つの棒状部材で構成される形態であるとして説明したが、２以上の棒状部材と、ボールジョイントなどのジョイント部材が当該２以上の棒状部材の間に設けられ、当該２以上の棒状部材のなす角度を変えてグリップ３０の形状を変化させる形態であってもよい。ただし、耐久性を含む構造簡素化の観点からは、かかるジョイント部材を設けずに一体の棒状部材で構成され、端部に設けられた軸受け部３１における回転軸５３を中心にした回転動作だけでグリップ３０と保定部５５との位置関係が決定する形態が望ましい。
【００４２】
グリップ３０の多角柱形状は、把持しやすいように角を丸く加工したものや、略円柱形状であってもよい。
【００４３】
ただし、歯科用口腔内Ｘ線撮影装置１００の保持は、グリップ３０を使った把持に限るものではなく、保定部５５などを咬合することによる保持でも、本実施形態における発信部６３等を設けたことの効果は得られる。
【００４４】
次に、撮影補助具５０の詳細について説明する。撮影補助具５０は、回転軸５３、保定部（保定基板）５５、発光部５６、角度表示部５７、案内部５９を有する。
【００４５】
受光部１１は、回転軸５３上の接続部５３ａに取り付けられる。接続部５３ａは、Ｘ線源ＬＳを含むＸ線装置７０を使った撮影時に、保定部５５の口腔内に挿入される部分に設けられ、保定部５５とのなす角（第１角度θ１）が変更可能な状態で受光部１１を保持する。受光部１１は、ネジ止めなどで接続部５３ａに固定される形態でも良いし、受光部１１の一部を挟み込んで着脱可能な状態で接続部５３ａに取り付けられる形態であってもよい。
【００４６】
接続部５３ａに受光部１１が取り付けられた状態で、撮影に必要な範囲内で、受光部１１が回転軸５３を中心に回転した時に、受光部１１や接続部５３ａが保定部５５と干渉しないように、これらの部材の寸法が決定される。
【００４７】
回転軸５３は、一方の端部に接続部５３ａを介して受光部１１が取り付けられ、他方の端部に角度表示部５７が取り付けられ、接続部５３ａに取り付けられた受光部１１の回転軸５３を中心とした回転運動は、回転軸５３を介して角度表示部５７に伝達され、角度表示部５７を回転させる。同様に、角度表示部５７の回転軸５３を中心とした回転運動は、回転軸５３を介して接続部５３ａに取り付けられた受光部１１に伝達され、受光部１１を回転させる。また、接続部５３ａに取り付けられた受光部１１の前面側が、保定部５５の上面に近づくような付勢力が与えられるように、回転軸５３等に、バネなどの付勢部材５３ｂが設けられる（図９参照）。
【００４８】
さらに、回転軸５３を中心とした受光部１１の回転可能な状態を制御する第２ロック機構３５を設ける形態であってもよい。第２ロック機構３５によりロック状態にされている時は、第１角度θ１は変化せず、グリップ３０等に設けられたロック状態操作ボタンの操作により、第２ロック機構３５によるロック状態が解除されると付勢力で受光部１１が回転する（図８参照）。グリップ３０と受光部１１とは回転軸５３を共用しているため、かかる第２ロック機構３５に連動するロック状態操作ボタンを含む構造をグリップ３０に設けることも可能である。第２ロック機構３５により、受光部１１と保定部５５の位置関係の調整を簡単に行える。
【００４９】
保定部５５は、上から見てＬ字形状を有する部材であり、保定部５５の一方の端部（接続部５３ａ側）には回転軸５３を介して受光部１１が取り付けられ、他方の端部には案内部５９が取り付けられる。
【００５０】
なお、リーマーを取り付けた状態では、撮影対象歯牙が保定部５５に接触することが出来ないため、撮影時に保定部５５における撮影対象歯牙の先端が近づく部位には、リーマーを避けるように、撮影時に撮影対象歯牙と対向する位置に切欠部（又は孔部）５５ａを設ける形態が望ましい。
【００５１】
発光部５６は、撮影補助具５０における受光部１１に近い位置に取り付けられる発光体を有し、撮影動作を行う前段階で点灯する。本実施形態では、切欠部５５ａに設けられ、特に下面から発光状態が視認出来る位置（図５参照）に設けられる。
【００５２】
発光部５６は、受光部１１の背面に取り付けられる形態であってもよい。背面に取り付けられた場合には、ケーブル１７を使って発光部５６への電力供給や動作制御が行えるため、撮影補助具５０に発光部５６が設けられる形態に比べて配線が容易に行えるメリットがある。
【００５３】
上の歯を撮影対象歯牙とする場合、使用者は、図４のような状態でグリップ３０を把持し、被験者の口腔内を下からのぞき込む形で、点灯中の発光部５６を見て、その近くに発光部５６を含む受光部１１があることを確認する。
【００５４】
下の歯を撮影対象歯牙とする場合、使用者は、図５のような状態でグリップ３０を把持し、被験者の口腔内を上からのぞき込む形で、点灯中の発光部５６を見て、その近くに発光部５６を含む受光部１１があることを確認する。
【００５５】
受光部１１などを口腔内に挿入して撮影する際、撮影補助具５０の上面や、受光部１１の表面は、撮影対象歯牙と対向する位置関係にあり、口腔外からは見えにくいが、撮影補助具５０の下面や、受光部１１の背面は、口腔外からも視認可能であるため、これらの一部が点灯していると、その点灯位置に基づいて、受光部１１の口腔内における位置関係を口腔外から予想出来る。このため、点灯して視認しやすい発光部５６の位置を確認することで、受光部１１と撮影対象歯牙との位置合わせ（第１位置合わせ）を行いやすくなる。
【００５６】
発光部５６の発光体の周りが導光部材（例えば、アクリル板など）で構成される形態であってもよい。図３は、保定部５５の切欠部５５ａがある部分であって、発光部５６の発光体の周囲に導光部材が設けられた例を示す。この場合、発光部５６の光が導光部材からも拡散して、発光領域を広がるので、点灯位置を確認しやすくなる。
【００５７】
発光部５６の点灯や消灯の制御は、不図示のメイン電源スイッチのオンオフ動作などに連動する（メイン電源がオン状態で常に、発光部５６が点灯する）形態でもよいし、点灯や消灯を操作するための点灯操作ボタン３８をグリップ３０に設ける形態であってもよい（図８参照）。
【００５８】
本実施形態では、点灯操作ボタン３８の操作により、発光部５６や発信部６３がオン状態にされると、発光部５６は点灯し、点灯操作ボタン３８の操作により、発光部５６や発信部６３がオフ状態にされると、発光部５６は消灯する。点灯操作ボタン３８は、後述する発信部６３のオンオフ制御にも用いられる。
【００５９】
角度表示部５７は、接続部５３ａが口腔内に挿入された時にも口腔外から見えるように、保定部５５の口腔内に挿入されない部分に取り付けられ、円柱形状を有しており、該円柱形状の天面（若しくは筒状部分（側面））には、接続部５３ａに取り付けられた受光部１１と保定部５５とのなす角（第１角度θ１、図４〜図６参照）に関連する情報として、複数の目印線を含む目盛りが付されている。
【００６０】
本実施形態では、回転軸５３を介して機械的に第１角度θ１に関する情報を角度表示部５７に伝達する形態を説明するが、受光部１１の近傍に設けられた角度センサー５４が第１角度θ１に関する情報を検知し、電気的に角度表示部５７に伝達して表示させる形態であってもよい。
【００６１】
角度表示部５７の目盛りと保定部５５との位置関係に基づいて、すなわち、基準位置（例えば、保定部５５の上面）と最も近い目印線に基づいて、口腔内に挿入されて見えない（接続部５３ａに取り付けられた）受光部１１と保定部５５とのなす角（第１角度θ１）に関する情報を読み取ることが可能になり、案内部５９の位置決め部５９ｃにおけるＸ線装置７０の位置合わせ（第２位置合わせ）に使用される。
【００６２】
なお、本実施形態では、案内部５９と保定部５５との間に電気的な接続が設けられ、角度センサー５４で得られた第１角度θ１に関する情報に基づいて、位置決め部５９ｃの位置決め用目印（第１発信装置６３ａ〜第４発信装置６３ｄのいずれかであって、かかる発信装置に設けられたＬＥＤなどの発光装置）が点灯する。
【００６３】
また、第１発信装置６３ａ〜第４発信装置６３ｄのいずれかであって、かかる発信装置に設けられた一次コイルに電力が供給され、受信部７１に設けられた二次コイルがかかる発信装置の一次コイルと対向する位置に配置されると、電磁誘導で二次コイルに電流が流れ、受信部７１に接続された出力部７５が音声出力する若しくは点灯して、Ｘ線装置７０と歯科用口腔内Ｘ線撮影装置１００との位置合わせ（第２位置合わせ）が出来たことを知らせる。
【００６４】
このため、角度表示部５７で表示される第１角度θ１に関する情報は、確認用のものであり、省略される形態でも、Ｘ線装置７０と歯科用口腔内Ｘ線撮影装置１００との位置合わせ（第２位置合わせ）は行える。
【００６５】
案内部５９は、接続部５３ａに取り付けられた受光部１１と対向するように保定部５５に取り付けられる。
【００６６】
案内部５９は、保定部接続部５９ａ、案内リング５９ｂ、位置決め部５９ｃを有する。案内部５９は、案内リング５９ｂが接続部５３ａに取り付けられた受光部１１と対向する位置になるように、保定部５５に取り付けられ、Ｘ線撮影におけるＸ線装置７０の照射口の位置決めに使用される。
【００６７】
保定部接続部５９ａは、Ｘ線装置７０を使った撮影時に保定部５５の口腔内に挿入されない部分の端部に取り付けられる部材である。
【００６８】
案内リング５９ｂは、接続部５３ａ側から見て縦長の略楕円形状（正立状態の上部が開口した略Ｕ字形状でも良い（図７参照））を有し、保定部接続部５９ａに取り付けられる。
【００６９】
案内リング５９ｂは、保定部５５の上方から見て、Ｘ線撮像素子の撮像面の中心を通り、撮像面に垂直な基準線ＬＰ上であって、撮像面から第１距離（２００ｍｍ）だけ離れて対向する位置にＸ線源ＬＳが配置されるように、Ｘ線源ＬＳを含むＸ線装置７０を位置決めするために使用される（図９参照）。
【００７０】
案内リング５９ｂの側部には、位置決め部５９ｃが設けられる。位置決め部５９ｃには、第１角度θ１（角度表示部５７の目盛りの目印線）に対応する情報（複数の位置決め用目印）として、複数の発信装置を含む発信部６３が設けられる。本実施形態では、位置決め用目印が４つ、すなわち４つの発信装置（第１発信装置６３ａ〜第４発信装置６３ｄ）が位置決め部５９ｃに設けられる形態を示すが、位置決め用目印の数（発信装置の数）は、これに限るものではない。
【００７１】
発信装置のそれぞれは、一次コイルと、発光装置が設けられ、発信部切替スイッチ６１を介して、発信装置のいずれかであって、第１角度θ１に関する情報に対応するものに、電力が供給される。発信装置に流れる電流は、パルス電流など、電流値が変動するものである。
【００７２】
また、角度表示部５７で示された第１角度θ１に関する情報と確認するために、発信装置の発光装置は、対応関係にある角度表示部５７の目盛りの目印線と、同じか近い色で発光するのが望ましい。
【００７３】
また、一次コイルに対向する位置に二次コイルが配置した時だけ、電磁誘導が起き、一次コイルと二次コイルがずれた位置にある時に、電磁誘導で二次コイルに誘導電流が流れないようにするため、隣接する一次コイルの間に、磁性体などの防磁部材が設けられるのが望ましい。例えば、一次コイルを含む発信装置において、二次コイルと対向する面を除く周囲が防磁部材で覆われる形態が考えられる。
【００７４】
発信部６３の点灯や消灯の制御は、不図示のメイン電源スイッチのオンオフ動作などに連動する（メイン電源がオン状態で常に、第１角度θ１に対応して、発信装置のいずれかが点灯する）形態でもよいし、点灯や消灯を操作するための点灯操作ボタン３８をグリップ３０に設ける形態であってもよい（図１、図８参照）。
【００７５】
本実施形態では、点灯操作ボタン３８の操作により、発光部５６や発信部６３がオン状態にされると、第１角度θ１に対応する発信装置（第１発信装置６３ａ〜第４発信装置６３ｄのいずれか１つ）に電力が供給され、当該発信装置の発光装置が点灯し、当該発信装置の一次コイルに電流が流れる。点灯操作ボタン３８の操作により、発光部５６や発信部６３がオフ状態にされると、発信部６３への電力供給が停止する。
【００７６】
角度表示部５７の目盛りにおける目印線のうち基準位置（例えば、保定部５５の上面）に最も近いものに対応する位置決め用目印に合わせて設置したＸ線装置７０のＸ線源ＬＳから出射されるＸ線束の中心軸ＬＸが、保定部５５の側方から見て、受光部１１に内蔵されたＸ線撮像素子の撮像面を含む面と撮影対象歯牙の歯軸との二等分面に略垂直にすることが出来るように、複数の位置決め用目印（複数の発信装置）が位置決め部５９ｃに設けられる（図６参照）。
【００７７】
すなわち、二以上の位置決め用目印（複数の発信装置）のうち、第１角度θ１に関する情報に対応する位置決め用目印（電力が供給されて、発光中の発光装置と磁界が発生している一次コイルを含む発信装置）に合わせてＸ線装置７０を設置した場合に、Ｘ線源ＬＳから出射されるＸ線束の中心軸ＬＸが、保定部５５の測方から見て、受光部１１の撮像面を含む面と撮影対象歯牙の歯軸との二等分面に略垂直にすることが出来るように、二以上の位置決め用目印（複数の発信装置）が位置決め部５９ｃに設けられる。
【００７８】
第１角度θ１が小さい場合、すなわちＸ線撮像素子の撮像面が、保定部５５の上面と平行に近い状態の場合には、保定部５５から離れた位置決め用目印（第１発信装置６３ａ）に対応する角度表示部５７の目盛りの目印線が基準位置に近くなる。
【００７９】
第１角度θ１が大きい場合、すなわちＸ線撮像素子の撮像面が、保定部５５の上面と垂直に近い状態の場合には、保定部５５に近い位置決め用目印（第４発信装置６３ｄ）に対応する角度表示部５７の目盛りの目印線が基準位置に近くなる。
【００８０】
Ｘ線装置７０は、１つのＸ線源ＬＳから照射口を介してＸ線を照射する装置であり、Ｘ線画像を得る場合に使用される。Ｘ線装置７０の照射口は、Ｘ線源ＬＳから出射されるＸ線束の中心軸ＬＸに垂直な面を有する。
【００８１】
Ｘ線装置７０の筒部であって照射口の近傍で、案内リング５９ｂと対向する位置（例えば、上下方向の中間位置）には、受信部７１が取り付けられ、Ｘ線装置７０（の筒部などに）出力部７５が取り付けられる。
【００８２】
受信部７１には、二次コイルが設けられ、位置決め部５９ｃに設けられた発信装置のうち電流が流れている発信装置の一次コイルと対向する位置に当該二次コイルが配置されると、当該二次コイルに誘導電流が流れ、出力部７５に電力が供給される。
【００８３】
出力部７５は、ＬＥＤなどの発光装置とスピーカーなどの音声出力装置の少なくとも一方が設けられ、二次コイルに誘導電流が流れた際に、発光と音声出力の少なくとも一方を行って、使用者などに歯科用口腔内Ｘ線撮影装置１００とＸ線装置７０との位置合わせ（第２位置合わせ）が完了したことを知らせる。
【００８４】
受信部７１や出力部７５は、Ｘ線装置７０に予め設けられた形態であってもよいし、これらを有しないＸ線装置７０に着脱自在に取り付けられる形態であってもよい。
【００８５】
Ｘ線装置７０の照射口が、案内リング５９ｂの所定の位置（第１角度θ１に対応する位置決め用目印に合わせた位置）に設置された場合に、上方から見て、Ｘ線源ＬＳから出射されるＸ線束の中心軸ＬＸが、Ｘ線撮像素子の撮像面の中心を通るように、案内リング５９ｂは、側方から見て略円弧形状を有し、上方から見て略直線形状を有する（図６、図９参照）。
【００８６】
このため、保定部５５の上方から見て、Ｘ線受光部の撮像面の中心を通り、撮像面に垂直な基準線ＬＰと、Ｘ線源ＬＳから出射されるＸ線束の中心軸ＬＸとが重なる位置関係で、Ｘ線装置７０の照射口は、案内リング５９ｂの近傍に配置されることになる。
【００８７】
Ｘ線装置７０を使った撮影時は、受光部１１などの撮影部１０の一部や、接続部５３ａなどの撮影補助具５０の一部が、被験者の口腔内に挿入され、撮影対象歯牙の歯軸と保定部５５とが垂直になるような状態で、撮影補助具５０がグリップ３０によって保持される。このとき、角度表示部５７、案内部５９は、口腔外に位置する。但し、撮影対象歯牙の歯軸と保定部５５とのなす角度は垂直で無くても良い。
【００８８】
また、撮影時には、歯科用口腔内Ｘ線撮影装置１００の被験者の口腔内に挿入される部分（保定部５５の一部、受光部１１、ケーブル１７の一部）に、防水カバーが覆われるのが望ましい（図１０参照）。本実施形態で用いる防水カバー（少なくとも発光部５６を覆う部分）は、発光部５６の光が透過するように、透光性の素材で構成されるのが望ましい。
【００８９】
防水カバーにより、接続部５３ａへの被験者の唾液などの侵入を防止することが出来る上、保定部５５や受光部１１などの洗浄を行わなくても、防水カバーを取り替えるだけで、別の被験者への使用が可能になるメリットがある。防水カバー全体若しくは防水カバーの少なくとも発光部５６を覆う部分を透光性の素材で構成することにより、発光部５６の光が防水カバー越しに確認可能になる。
【００９０】
次に、動作手順について説明する。保定部５５の一部や、受光部１１等が、防水カバーで覆われた状態で、歯科用口腔内Ｘ線撮影装置１００の受光部１１を含む部分が、撮影対象歯牙を有する被験者の口腔内に挿入される。挿入前に、グリップ３０と保定部５５との位置関係（第２角度θ２）が、軸受け部３１に設けられた第１ロック機構３３によって、使用者の使いやすい状態で、グリップ３０を保定部５５に固定しておくのが望ましい。
【００９１】
グリップ３０に設けられた点灯操作ボタン３８を操作して、発光部５６や発信部６３をオン状態にし、発光部５６を点灯させた状態で、防水カバー越しに発光部５６の光を見ながら、使用者は受光部１１と撮影対象歯牙の位置合わせ（第１位置合わせ）を行う。
【００９２】
被験者の口腔内の形状や、歯科用口腔内Ｘ線撮影装置１００が挿入された位置などに基づいて、口腔内における受光部１１と保定部５５との位置関係が決定し、第１角度θ１が決定する。第２ロック機構３５が設けられている場合には、受光部１１と保定部５５を広げた状態（第１角度θ１が小さい状態）で固定したロック状態で歯科用口腔内Ｘ線撮影装置１００の一部が口腔内に挿入され、その後にロック状態操作ボタンを操作してロック状態を解除し、口蓋などに受光部１１が接触した時に、口腔内における受光部１１と保定部５５との位置関係が決定する。
【００９３】
発信部６３の第１発信装置６３ａ〜第４発信装置６３ｄのうち、第１角度θ１に対応する発信装置には、発信部切替スイッチ６１を介して、電力が供給され、当該発信装置に含まれる発光装置が点灯し、当該発信装置に含まれる一次コイルに電流が流れる。発信装置に流れる電流は、パルス電流など、電流値が変動するものであり、一次コイルに流れる電流値が変化することで、一次コイルの磁束が変化する。
【００９４】
歯科用口腔内Ｘ線撮影装置１００の使用者は、点灯している発光装置を含む発信装置に、受信部７１を合わせる（点灯している発光装置を含む発信装置に含まれる一次コイルに対向するように、受信部７１の二次コイルを合わせる）ようにして、Ｘ線装置７０の照射口を設置する。
【００９５】
二次コイルを含む受信部７１が、点灯している発光装置を含む発信装置と対向した場合には、当該発信装置の一次コイルにおける磁束の変化に基づく電磁誘導で、受信部７１の二次コイルに誘導電流が流れ、二次コイルから出力部７５に電力が供給され、出力部７５は、発光と音声出力の少なくとも一方を行われる。使用者などは、かかる発光を視認する若しくは、かかる音声を聞くことで、歯科用口腔内Ｘ線撮影装置１００とＸ線装置７０との位置合わせ（第２位置合わせ）が完了したことを知ることが出来、当該第２位置合わせを容易に行える。
【００９６】
なお、一次コイルに流れる電流が一定で、一次コイルの磁束が変化しない形態であっても、二次コイルが近づく過程で二次コイルに誘導電流が流れるため、この間に出力部７５による出力は可能である。ただし、第２位置合わせ完了後は、一次コイルと二次コイルの距離が殆ど変わらず、誘導電流が流れないため、出力部７５による出力は出来ない。
【００９７】
なお、案内リング５９ｂの側部に設けられる位置決め部５９ｃ（発信部６３）や、Ｘ線装置７０の筒部に取り付けられる受信部７１は、左右の２カ所に設けられるのが望ましい。側部の両方から、歯科用口腔内Ｘ線撮影装置１００とＸ線装置７０との位置合わせ（第２位置合わせ）が出来ているかどうかを確認することが可能になる。本実施形態では、左右の２カ所に位置決め部５９ｃ（発信部６３）や、受信部７１が設けられた例を示す。ただし、左右の一方だけに位置決め部５９ｃ（発信部６３）や、受信部７１が設けられる形態であっても、発信部６３などを設けたことの効果は得られる。
【００９８】
この場合に、左右の受信部７１を接続する接続部７７を設け、左右の受信部７１の二次コイルの両方に誘導電流が流れた場合にだけ、出力部７５から音や光を出力させると、歯科用口腔内Ｘ線撮影装置１００とＸ線装置７０との位置合わせ（第２位置合わせ）を、更に精度良く行うことが可能になる（図１３参照）。Ｘ線装置７０と歯科用口腔内Ｘ線撮影装置１００がねじれた位置関係にある場合など、左右の一方だけが位置合わせが出来て、他方の位置合わせが出来ていない時に、歯科用口腔内Ｘ線撮影装置１００とＸ線装置７０との位置合わせ（第２位置合わせ）が完了したと誤認するのを防ぐことが出来る。
【００９９】
なお、第１角度θ１に関する情報は、角度表示部５７の目盛りでも確認出来るので、歯科用口腔内Ｘ線撮影装置１００の使用者は、角度表示部５７の目盛りを見て、基準位置に最も近い目印線を確認し、位置決め部５９ｃにおける当該目印線に対応する位置決め用目印に受信部７１を合わせるようにして、Ｘ線装置７０の照射口を設置してもよい。
【０１００】
第１位置合わせ、第２位置合わせが完了した後は、点灯操作ボタン３８を操作して、発光部５６や発信部６３をオフ状態にし、発光部５６や発信部６３への電力供給を停止させる。その後、Ｘ線装置７０によるＸ線の照射、カルテ番号の入力など、所定の操作を行うことにより、撮像動作が行われる。
【０１０１】
撮像動作において、受光部１１のＸ線撮像素子は、シンチレータで変換された可視光を撮像する。撮像動作で得られた画像信号は、グリップ３０に内蔵された画像処理装置（若しくは、グリップ３０と有線または無線で接続された外部の画像処理装置）で、Ｘ線画像を得るための画像処理が施される。
【０１０２】
点灯している発光装置を含む発信装置に、受信部７１を合わせる（点灯している発光装置を含む発信装置に含まれる一次コイルに対向するように、受信部７１の二次コイルを合わせる）ようにして、Ｘ線装置７０の照射口を配置すれば、Ｘ線装置７０のＸ線源ＬＳから出射されるＸ線束の中心軸ＬＸが、側方から見て、受光部１１に内蔵されたＸ線受光部の撮像面を含む面と撮影対象歯牙の歯軸との二等分面に略垂直にすることが出来、二等分面撮影法により、実長に近い状態で撮影対象歯牙のＸ線画像を得ることが可能になる。
【０１０３】
なお、本実施形態では、二等分面撮影法を考慮して、すなわち、Ｘ線束の中心軸ＬＸが、側方から見て、受光部１１に内蔵されたＸ線撮像素子の撮像面を含む面と撮影対象歯牙の歯軸との二等分面に略垂直になるように、案内リング５９ｂの側部の形状や、位置決め部５９ｃの位置決め用目印（発信装置の設置位置）が決定される形態を説明したが、他の撮影法を考慮してこれらを決定する形態であってもよい。
【０１０４】
例えば、Ｘ線束の中心軸ＬＸが、側方から見て、受光部１１に内蔵されたＸ線撮像素子の撮像面を含む面に略垂直になるように、案内リング５９ｂの側部の形状や、位置決め部５９ｃの位置決め用目印（発信装置の設置位置）が決定される形態であってもよい。
【０１０５】
また、本実施形態では、グリップ３０が回転軸５３を中心とした回転が可能な状態で撮影補助具５０に取り付けられる形態を説明したが、回転不能で固定された形態であってもよい。第２角度θ２を変化しないことで、回転機構の構造を簡略化出来るので、耐久性を向上させることが可能になる。
【０１０６】
この場合は、グリップ３０は、保定部５５を構成するＬ字のいずれにも略直交し、当該Ｌ字の上方に延びる第１グリップ３０ａと下方に延びる第２グリップ３０ｂを有するのが望ましい（図１１、図１２参照）。第１グリップ３０ａと第２グリップ３０ｂのいずれかを把持することにより、上方、下方のいずれからでも歯科用口腔内Ｘ線撮影装置１００を把持出来るようになるし、歯科用口腔内Ｘ線撮影装置１００を上下逆にしても把持する姿勢を変えずに把持を出来るメリットがある。特に、発光部５６の光を見やすくする観点で、把持するグリップを選択することも可能になる。
【０１０７】
第１グリップ３０ａと第２グリップ３０ｂは、両方に略同じ重さのバッテリーを内蔵させる、若しくは一方にバッテリーを内蔵させ他方がバッテリーと略同じ重さの部材を内蔵させるなどして、ほぼ同じ大きさや重さの状態にするのが望ましい。例えば、第１グリップ３０ａには、発光部５６や発信部６３を駆動するバッテリーを内蔵させ、第２グリップ３０ｂには、受光部１１を駆動するバッテリーを内蔵させる形態が考えられる。この場合には、第１グリップ３０ａと第２グリップ３０ｂのどちらのグリップを把持しても、バランスよく歯科用口腔内Ｘ線撮影装置１００を保持しやすい。
【０１０８】
また、本実施形態では、受光部１１がＣＣＤなどのＸ線受光部を内蔵する形態を説明したが、Ｘ線用フィルムやイメージングプレートをクリップなどで保持する形態であってもよい（図１２参照）。この場合、受光部１１にＸ線フィルムやイメージングプレートを着脱可能な状態で取り付けし、発光部５６を使って、受光部１１に取り付けられたフィルムやイメージングプレートと撮影対象歯牙との位置決め（第１位置合わせ）を容易にし、発信部６３を使って、歯科用口腔内Ｘ線撮影装置１００とＸ線装置７０との位置合わせ（第２位置合わせ）を容易にする。
【０１０９】
また、本実施形態では、第１角度θ１に対応する発信装置に電力を供給し、他の発信装置に電力を供給しない形態を説明したが、発信部６３への電力供給制御はこれに限るものではない。例えば、第１角度θ１に対応する発信装置だけ電力の供給を停止し、他の発信装置に電力を供給する形態であってもよい。この場合は、第１角度θ１に対応する発信装置以外の発信装置にＸ線装置７０を近づけると、出力部７５の発光や音声出力が行われ、第１角度θ１に対応する発信装置にＸ線装置を近づけると、出力部７５の発光や音声出力が停止する。
【符号の説明】
【０１１０】
１  歯科用Ｘ線撮影システム
１０  撮影部
１１  受光部
１７  ケーブル
３０  グリップ
３１  軸受け部
３３  第１ロック機構
３５  第２ロック機構
３７  第１通信部
３８  点灯操作ボタン
３９  バッテリー
５０  撮影補助具
５１  制御部
５３  回転軸
５３ａ  接続部
５３ｂ  付勢部材
５４  角度センサー
５５  保定部
５６  発光部
５７  角度表示部
５９  案内部
５９ａ  保定部接続部
５９ｂ  案内リング
５９ｃ  位置決め部
６１  発信部切替スイッチ
６３  発信部
６３ａ〜６３ｄ  第１発信装置〜第４発信装置
７０  Ｘ線装置
７１  受信部
７５  出力部
７７  接続部
１００  歯科用口腔内Ｘ線撮影装置
ＬＸ  中心軸
ＬＰ  上方から見て、Ｘ線受光部の撮像面の中心を通り、撮像面に垂直な線
ＬＳ  Ｘ線源
【図１】
2015123282.tif 000003
【図２】
2015123282.tif 000004
【図３】
2015123282.tif 000005
【図４】
2015123282.tif 000006
【図５】
2015123282.tif 000007
【図６】
2015123282.tif 000008
【図７】
2015123282.tif 000009
【図８】
2015123282.tif 000010
【図９】
2015123282.tif 000011
【図１０】
2015123282.tif 000012
【図１１】
2015123282.tif 000013
【図１２】
2015123282.tif 000014
【図１３】
2015123282.tif 000015